(57)【特許請求の範囲】
【請求項１】
同一軸に小径シーブや大径シーブの異径シーブを隣接して配設すると共に、支持部材は、該軸の両端近傍に立設する一方、小径シーブと大径シーブが隣接する間には設けない異径シーブブロックであって、該異径シーブのロープ溝内のロープが該ロープ溝内から外れることを防止する異径シーブのロープ外れ止め具に於いて、前記小径シーブ外径に近接させ、且つ、前記ロープ溝断面幅間に位置させる下部部材と前記大径シーブ外径に近接させ、且つ、前記ロープ溝断面幅間に位置させる上部部材とを連結材で一体に固着させ、且つ、該下部部材の取付部の一端と、該上部部材の取付部の両端は、前記軸に立設する前記支持部材に支持させることを特徴とする異径シーブのロープ外れ止め具。
【請求項２】
前記上部部材は鋼管からなると共に通しピンで支持されてなり、前記下部部材は丸鋼からなり、且つ、該鋼管の中心下部と該丸鋼中心上部とが鋼板からなる連結材で溶着一体化されてなることを特徴とする請求項１記載の異径シーブのロープ外れ止め具。
【発明の詳細な説明】
【０００１】
【発明の属する技術分野】
本発明は異径シーブのロープ外れ止め具に関するものであり、特に、異径シーブの外径間に容易に、且つ、安全に取り付けることができる異径シーブのロープ外れ止め具に関するものである。
【０００２】
【従来の技術】
従来の異径シーブのロープ外れ止め具を図３に従って説明する。図３はクレーン等のシーブブロック１の側面図を示し、中央に大径シーブ２が配設され、且つ、その左右には該大径シーブ２と平行に小径シーブ３，３が配設されており、夫々のシーブ２，３，３の中心部を貫通する軸４によって各シーブが支持されている。又、該軸４の両端部近傍には、該軸４と垂直に鋼板５ａ，５ａを夫々立設して該軸４を支持すると共に、前記シーブブロック１の外面を形成する。
【０００３】
更に、前記大径シーブ２及び前記小径シーブ３，３のロープ溝２ａ，３ａ，３ａに掛け渡されたロープＲ，Ｒ，Ｒが該ロープ溝２ａ，３ａ，３ａから外れないように、夫々外れ止め部材７，８，８を設ける。該大径シーブ２の外れ止め部材７は鋼棒で形成され、該大径シーブ２の左右に前記軸４から立設された鋼板６，６間に取り付けられ、一方の鋼板６に開穿された孔（図示せず）から他方の鋼板６に開穿された孔（図示せず）間に架設すると共に、前記大径シーブ２の外径２ｂに近接させて配設する。更に、該外れ止め部材７の両端部には該鋼板６，６からの抜け止め防止ピン９，９を打ち込んで固定する。
【０００４】
一方、前記小径シーブ３，３の外れ止め部材８，８は前記鋼板５ａと該小径シーブ３を挟持する鋼板５ｂとの間に取り付けられ、一方の鋼板５ａに開穿された孔（図示せず）から他方の鋼板５ｂに開穿された孔（図示せず）間に架設すると共に、前記小径シーブ３の外径３ｂに近接させて配設する。更に、該外れ止め部材８の両端部には、該鋼板５ａ，５ｂからの抜け止め防止ピン９，９を打ち込んで固定する。
【０００５】
【発明が解決しようとする課題】
前記ロープ外れ止め部材は、大径シーブ及び小径シーブの外径に対応して別々に設けられると共に、該ロープ外れ止め部材を取り付けるための鋼板も夫々のシーブの両側に夫々設ける必要があるので、前記シーブブロックの製作工数も増え、且つ、該ロープ外れ止め部材の取り付け工数も増加してコストアップになる。
【０００６】
又、前記小径シーブの外径上に該ロープ外れ止め部材を取り付ける際、前記大径シーブの両側の鋼板と該小径シーブの側面に立設する鋼板との間のスペースが狭いので、作業性が悪くなると共に該スペースに手を入れて作業することになり、危険な作業となる。
【０００７】
そこで、夫々のシーブの外径に対応して別々に設けることなく、容易に、且つ、安全に取り付け、取り外しを行うことができる異径シーブのロープ外れ止め具を得るために解決すべき技術的課題が生じてくるのであり、本発明は該課題を解決することを目的とする。
【０００８】
【課題を解決するための手段】
本発明は上記目的を達成するために提案されたものであり、請求項１記載の発明は、同一軸に小径シーブや大径シーブの異径シーブを隣接して配設すると共に、支持部材は、該軸の両端近傍に立設する一方、小径シーブと大径シーブが隣接する間には設けない異径シーブブロックであって、該異径シーブのロープ溝内のロープが該ロープ溝内から外れることを防止する異径シーブのロープ外れ止め具に於いて、前記小径シーブ外径に近接させ、且つ、前記ロープ溝断面幅間に位置させる下部部材と前記大径シーブ外径に近接させ、且つ、前記ロープ溝断面幅間に位置させる上部部材とを連結材で一体に固着させ、且つ、該下部部材の取付部の一端と、該上部部材の取付部の両端は、前記軸に立設する前記支持部材に支持させることを特徴とする異径シーブのロープ外れ止め具。
及び、請求項２記載の発明は、前記上部部材は鋼管からなると共に通しピンで支持されてなり、前記下部部材は丸鋼からなり、且つ、該鋼管の中心下部と該丸鋼中心上部とが鋼板からなる連結材で溶着一体化されてなることを特徴とする請求項１記載の異径シーブのロープ外れ止め具。
を提供するものである。
【０００９】
【発明の実施の形態】
以下、本発明の一実施の形態を図１及び図２に従って詳述する。図１（ａ）はシーブブロック１０の側面図を示し、中央に大径シーブ１１が配設され、且つ、その両側には該大径シーブ１１と平行に小径シーブ１２，１２が配設されており、夫々のシーブ１１，１２，１２の中心部を貫通する軸１３によって各シーブが支持される。
【００１０】
又、該軸１３の両端部近傍には、該軸１３と垂直に鋼板からなる支持部材１４，１４を夫々立設して該軸１３を支持すると共に、前記シーブブロック１０の外面を形成する。更に、前記大径シーブ１１及び前記小径シーブ１２，１２のロープ溝１１ａ，１２ａ，１２ａに掛け渡されたロープＲ，Ｒ，Ｒが該ロープ溝１１ａ，１２ａ，１２ａから外れないようにするロープ外れ止め具１５，１５を前記支持部材１４，１４に支持されて設ける。該ロープ外れ止め具１５，１５は前記大径シーブ１１のロープＲの中心近傍上部で分割して形成し、左右のロープ外れ止め具１５は夫々上部部材１６と下部部材１８とを連結材１７で一体に固着して形成する。
【００１１】
図２（ａ）は該ロープ外れ止め具１５の正面図を示し、図２（ｂ）はその側面図を示す。該下部部材１８は丸鋼からなり、該丸鋼１８の下面は前記小径シーブ１２の外径１２ｂに近接させて水平に、且つ、前記ロープ溝１２ａの断面幅間に位置するように配設し、一方の端部には前記鋼板１４に開穿した孔（図示せず）より外側に突出させて、該端部近傍に開穿するピン孔１９に抜け止めピン２２を打ち込んで該鋼板１４に固定できるようにする。
【００１２】
又、他方の端部は、前記小径シーブ１２の側面より前記大径シーブ１１の側面側に所定長さ大きく形成する。しかし、その延長寸法は後述する前記ロープ外れ止め具１５の前記鋼板１４への取り付け、取り外しに於いて該大径シーブ１１に対して障害にならない長さに設定する。
【００１３】
更に、前記上部部材１６は鋼管からなり、該鋼管１６の下面は該大径シーブ１１の外径１１ｂに近接させて水平に、且つ、前記ロープ溝１１ａの断面幅間に位置するように配設する。尚、図１（ａ）に示す上部部材１６は、該大径シーブ１１のロープＲの中心部近傍で分割されているので、左右の上部部材１６，１６の一方の端部同士を該ロープ溝１１ａの断面幅間に位置させて、該ロープＲの外れを防止している。又、該上部部材１６の他方の端部は前記鋼板１４の内側に近接させると共に、図２（ｂ）に示すように該上部部材１６の中心下部と前記下部部材１８の中心上部との間に鋼板からなる連結材１７を配設し、該上部部材１６と該下部部材１８との接触両面を溶着し、一体化して前記ロープ外れ止め具１５を形成する。
【００１４】
更に、該上部部材１６，１６の該鋼板１４，１４への取り付けは、図１（ａ）に示すように、該上部部材１６，１６の鋼管内を挿通する通しピン２０を該鋼板１４，１４に開穿した孔（図示せず）より両側に突出させて、該通しピン２０の両端部近傍に開穿するピン孔（図示せず）に抜け止めピン２１，２１を打ち込んで固定する。
【００１５】
次に、前記ロープ外れ止め具１５，１５の前記シーブブロック１０からの取り外し方法を図１に従って説明する。先ず、前記下部部材１８，１８を固定している抜け止めピン２２，２２を引き抜いた後、前記通しピン２０を固定している抜け止めピン２１，２１を引き抜くと共に、該通しピン２０を前記鋼板１４，１４から取り外す。その後、図１（ｂ）に示すように、一方のロープ外れ止め具１５を矢印方向に回転させた後、前記下部部材１８を前記大径シーブ１１側に水平移動させて該下部部材１８を該鋼板１４から取り外すと共に、該鋼板１４の内側面に沿って上方へ移動させて片方のロープ外れ止め具１５を取り外す。又、一方のロープ外れ止め具１５の取り外しも、同じ要領で行う。
【００１６】
更に、該ロープ外れ止め具１５，１５の前記シーブブロック１０への取り付け方法も、前記取り外し方法と逆手順で行うようにする。従って、該ロープ外れ止め具１５，１５の取り付け取り外しは、該鋼板１４，１４の外側より容易に且つ安全に行うことができる。
【００１７】
尚、本発明はシーブに用いることに限定されず、ウインチドラム等のロープを用いる部分のロープ外れ止めやロープ押えに使用することができる。
【００１８】
而して、本発明は、本発明の精神を逸脱しない限り種々の改変を為すことができ、そして、本発明が該改変されたものに及ぶことは当然である。
【００１９】
【発明の効果】
以上説明したように、請求項１記載の発明は、大径シーブ及び小径シーブの外径に対応して夫々設けられるロープ外れ止め部材を取り付けるための支持部材を夫々のシーブの両側に夫々設けられない場合に効果がある。
即ち、小径シーブ外径に近接させ、且つ、ロープ溝断面幅間に位置させる下部部材と大径シーブ外径に近接させ、且つ、ロープ溝断面幅間に位置させる上部部材とを連結材で一体に固着させ、且つ、該下部部材の取付部の一端と、該上部部材の取付部の両端は、軸に立設する支持部材に支持させるロープ外れ止め具を構成しているので、該ロープ外れ止め具を支持する支持部材を少なくでき、経済化が図れると共に取り付け取り外しの省力化が図れる。
更に、前記下部部材及び上部部材の取付部は軸に立設する支持部材に夫々支持させるので、前記ロープ外れ止め具自体の取り付け取り外しを容易に行うことができると共に、シーブブロック内の狭い箇所に手を入れて行う危険作業がなくなり、安全に取り付け取り外し作業が行える等、正に諸種の著大なる効果を奏することができる。
【００２０】
請求項２記載の発明は、特に、前記上部部材は鋼管からなると共に通しピンで支持されてなり、前記下部部材は丸鋼からなり、且つ、該鋼管の中心下部と該丸鋼中心上部とが鋼板からなる連結材で溶着一体化されているので、構造が簡単で該ロープ外れ止め具を支持する部材を少なくでき、経済化が図れると共に取り付け取り外しの省力化が図れる。
【図面の簡単な説明】
【図１】（ａ）本発明の一実施の形態を示し、ロープ外れ止め具を取り付けた状態を示すシーブブロックの側面図。
（ｂ）図１（ａ）のイ−矢視図。
【図２】（ａ）ロープ外れ止め具の正面図。
（ｂ）図２（ａ）のロ−矢視図。
【図３】従来例のロープ外れ止め部材を取り付けた状態を示すシーブブロックの側面図。
【符号の説明】
１０          シーブブロック
１１          大径シーブ
１１ａ        ロープ溝
１１ｂ        外径
１２          小径シーブ
１２ａ        ロープ溝
１２ｂ        外径
１３          軸
１４          支持部材
１５          ロープ外れ止め具
１６          上部部材
１７          連結材
１８          下部部材
【図１】
0003741620.tif 000002
【図２】
0003741620.tif 000003
【図３】
0003741620.tif 000004